(57)【要約】【課題】照明ユニット及び照明システムを提供する。【解決手段】第１のリフレクタと、第２のリフレクタと、第１のリフレクタと第２のリフレクタとの間に配置された光源モジュールと、第２のリフレクタを支持する支持部材と、を備え、支持部材は、変曲点を中心に隣接している第１、第２の傾斜面を有し、変曲点に繋がる第１の水平線と第１の傾斜面または第２の傾斜面の端部における一点に繋がる第２の水平線との間の距離値が１５〜５０ｍｍになっている。また、支持部材は、一定の高さで突出した複数の突起を有し、各突起は、相対する第３及び第４の側面を有し、突起の第３の側面と第４の側面は互いに非対称になっており、第３の側面の第３の高さと第４の側面の第４の高さとの比が１：１．０１〜８０または１．０１〜８０：１になっている。【選択図】図１
2013175460.tif 000002
【特許請求の範囲】
【請求項１】
第１のリフレクタと、
第２のリフレクタと、
前記第１のリフレクタと第２のリフレクタとの間に配置される光源モジュールと、
前記第２のリフレクタを支持する支持部材と、
を備え、
前記支持部材は、
少なくとも一つ以上の変曲点を有し、
前記変曲点を中心に隣接している第１、第２の傾斜面を有し、
前記変曲点に繋がる第１の水平線と、前記第１の傾斜面または第２の傾斜面の端部における一点に繋がる第２の水平線間の距離値は、１５〜５０ｍｍである、照明ユニット。
【請求項２】
前記支持部材は、
前記第２のリフレクタに面する第１の面と、
前記第１の面に相対する第２の面と、を有し、
前記第２の面から一定の高さで突出した複数の突起が形成されている、請求項１に記載の照明ユニット。
【請求項３】
前記突起の上面には、少なくとも一つの孔が形成されている、請求項２に記載の照明ユニット。
【請求項４】
前記突起は、相対する第３及び第４の側面を有し、前記第３の側面の第３の高さと前記第４の側面の第４の高さとが異なっている、請求項２に記載の照明ユニット。
【請求項５】
前記突起は中空の突起である、請求項１に記載の照明ユニット。
【請求項６】
前記支持部材の第１の傾斜面と第２の傾斜面は、互いに異なる曲率半径を有する、請求項１に記載の照明ユニット。
【請求項７】
前記支持部材の第１の傾斜面は前記光源モジュールに隣接しており、前記第１の傾斜面の曲率半径は前記第２の傾斜面の曲率半径よりも小さくなっている、請求項１に記載の照明ユニット。
【請求項８】
前記変曲点に繋がる第１の水平線と前記第１の傾斜面の端部における一点に繋がる第２の水平線間の第１の距離値は、前記変曲点に繋がる第１の水平線と前記第２の傾斜面の端部における一点に繋がる第３の水平線間の第２の距離値よりも大きくなっている、請求項１に記載の照明ユニット。
【請求項９】
前記第２のリフレクタから一定の空間を置いて配置された光学部材をさらに備え、前記第２のリフレクタと前記光学部材との間の空間にはエアーガイド領域が形成されている、請求項１に記載の照明ユニット。
【請求項１０】
前記支持部材は導電性物質を含む、請求項１または２に記載の照明ユニット。
【請求項１１】
前記支持部材は導電体である、請求項１または２に記載の照明ユニット。
【請求項１２】
前記支持部材は、
不導電体層と、
前記不導電体層上に配置された導電体層と、を有する、請求項１または２に記載の照明ユニット。
【請求項１３】
前記支持部材には複数の中空が形成されている、請求項１または２に記載の照明ユニット。
【請求項１４】
前記中空の底面に少なくとも一つの孔が形成されている、請求項１３に記載の照明ユニット。
【請求項１５】
前記中空は、互いに面する第１、第２の側面を有し、前記第１の側面の第１の高さと前記第２の側面の第２の高さとが異なっている、請求項１３に記載の照明ユニット。
【請求項１６】
第１のリフレクタと、
第２のリフレクタと、
前記第１のリフレクタと第２のリフレクタとの間に配置された光源モジュールと、
前記第２のリフレクタを支持する支持部材と、
を備え、
前記支持部材には一定の高さで突出した複数の突起が形成され、
前記各突起は、相対する第３及び第４の側面を有し、
前記突起の第３の側面と第４の側面とが非対称になっており、
前記第３の側面の第３の高さと前記第４の側面の第４の高さとの比は、１：１．０１〜８０または１．０１〜８０：１である、照明ユニット。
【請求項１７】
前記支持部材は、
縁に隣接している第１の領域と、
中央に隣接している第２の領域と、
前記第１の領域と第２の領域との間に位置している第３の領域と、を有し、
前記支持部材の第１の領域に形成された前記突起は、前記第３の側面の第３の高さと前記第４の側面の第４の高さとの比が１．１〜８０：１であり、
前記支持部材の第２の領域に形成された前記突起は、前記第３の側面の第３の高さと前記第４の側面の第４の高さとの比が１：１．０５〜３であり、
前記支持部材の第３の領域に形成された前記突起は、前記第３の側面の第３の高さと前記第４の側面の第４の高さとの比が１：１．０１〜１．０５である、請求項１６に記載の照明ユニット。
【請求項１８】
前記突起の第３の側面と前記光源モジュール間の距離値が、前記突起の第４の側面と前記光源モジュール間の距離値よりも小さくなっている、請求項１７に記載の照明ユニット。
【請求項１９】
前記突起は、
前記第３の側面と第４の側面とを連結する上面を有し、
前記突起の上面は水平であり、
前記突起の第３の側面は、前記上面から第１の角度で傾斜しており、
前記突起の第４の側面は、前記上面から第２の角度で傾斜しており、
前記第１の角度と第２の角度とが異なっている、請求項１７に記載の照明ユニット。
【請求項２０】
前記突起の上面には少なくとも一つの孔が形成されている、請求項１９に記載の照明ユニット。
【請求項２１】
前記支持部材は、
変曲点を中心に隣接している第１、第２の傾斜面を有し、
前記変曲点に繋がる第１の水平線と前記第１の傾斜面または第２の傾斜面の端部における一点に繋がる第２の水平線間の距離値が１５〜５０ｍｍである、請求項１６または１７に記載の照明ユニット。
【請求項２２】
前記支持部材は導電性物質を含む、請求項１６または１７に記載の照明ユニット。
【請求項２３】
請求項１乃至２２のいずれか１項に記載された照明ユニットを備える照明システム。
【発明の詳細な説明】
【技術分野】
【０００１】
実施形態は、照明ユニット及び照明システムに関する。
【背景技術】
【０００２】
一般に、大型ディスプレイ装置の代表には、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）などがある。
【０００３】
自発光型のＰＤＰとは違い、ＬＣＤは、自体発光する発光素子を備えておらず、別の照明ユニットが必須である。
【０００４】
ＬＣＤに用いられる照明ユニットは、光源の位置によって、エッジ（ｅｄｇｅ）方式の照明ユニットと直下方式の照明ユニットとに区別される。エッジ方式は、ＬＣＤパネルの左右側面または上下側面に光源を配置し、導光板を用いて光を前面に均一に分散させるから、光の均一性がよく、パネルの超薄型化が可能である。
【０００５】
直下方式は、通常、２０インチ以上のディスプレイに用いられる技術で、パネルの下部に光源を複数個配置するから、エッジ方式に比べて優れた光効率を有し、よって、高輝度を要する大型ディスプレイに主に用いられる。
【０００６】
既存のエッジ方式や直下方式の照明ユニットの光源としてはＣＣＦＬ（Ｃｏｌｄ  Ｃａｔｈｏｄｅ  Ｆｌｕｏｒｅｓｃｅｎｔ  Ｌａｍｐ）を用いてきた。
【０００７】
しかしながら、ＣＣＦＬを用いた照明ユニットは、ＣＣＦＬに常に電源が印加されなければならず、相当量の電力を消耗する、ＣＲＴに比べて約７０％レベルの色再現率を示す、水銀の添加により環境汚染を招く、といった欠点があった。
【０００８】
それを解消するための代替品として、現在、ＬＥＤ（Ｌｉｇｈｔ  Ｅｍｉｔｔｉｎｇ  ｄｉｏｄｅ）を用いた照明ユニットに関する研究が活発に行われている。
【０００９】
ＬＥＤを照明ユニットに用いると、ＬＥＤアレイの部分的なオン／オフが可能なため、消耗電力を画期的に低減できる。なお、ＲＧＢ  ＬＥＤの場合は、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）色再現範囲仕様の１００％を上回り、より鮮明な画質を消費者に提供することができる。
【発明の概要】
【発明が解決しようとする課題】
【００１０】
実施形態は、リフレクタを支持する金属性支持部材を用いて、静電気またはＥＭＩ（Ｅｌｅｃｔｒｏ  Ｍａｇｎｅｔｉｃ  Ｉｎｔｅｒｆｅｒｅｎｃｅ）による外部回路の損傷を防止することができる照明ユニット及びそれを用いた照明システムを提供する。
【００１１】
また、実施形態は、金属性支持部材に複数の締結用突起を配置して、外部回路を簡易に連結する照明ユニット及びそれを用いた照明システムを提供する。
【００１２】
そして、実施形態は、傾斜面を有する金属性支持部材を用いて、導光板無しで、エアーガイド（ａｉｒ  ｇｕｉｄｅ）領域を有する照明ユニット及びそれを用いた照明システムを提供する。
【課題を解決するための手段】
【００１３】
実施形態は、第１のリフレクタと、第２のリフレクタと、第１のリフレクタと第２のリフレクタとの間に配置された光源モジュールと、第２のリフレクタを支持する支持部材と、を備え、支持部材は、変曲点を中心に隣接している第１、第２の傾斜面を有し、変曲点に繋がる第１の水平線とね第１の傾斜面または第２の傾斜面の端部における一点に繋がる第２の水平線との間の距離値は１５〜５０ｍｍになっている。
【００１４】
ここで、支持部材は、導電性物質を含んでもよく、支持部材は導電体であってもよい。
【００１５】
そして、支持部材は、不導電体層と、不導電体層上に配置された導電体層とを有してもよい。
【００１６】
また、支持部材は、第２のリフレクタに面する表面に複数の中空が形成されてもよく、中空の底面には少なくとも一つの孔が形成されてもよい。
【００１７】
ここで、中空は、互いに面する第１、第２の側面を有することができ、第１の側面の第１の高さと第２の側面の第２の高さとが異なっていてもよい。
【００１８】
また、支持部材は、第２のリフレクタに面する第１の面と、第１の面に相対する第２の面とを有し、第２の面から一定の高さで突出した複数の突起を有してもよい。
【００１９】
ここで、突起の上面には少なくとも一つの孔が形成されていてもよく、突起は、相対する第３及び第４の側面を有し、第３の側面の第３の高さと第４の側面の第４の高さとが異なっていてもよい。
【００２０】
そして、突起は中空の突起であってもよい。
【００２１】
また、支持部材の第１の傾斜面と第２の傾斜面は、互いに異なる曲率半径を有してもよい。
【００２２】
ここで、支持部材の第１の傾斜面は光源モジュールに隣接しており、第１の傾斜面の曲率半径は、第２の傾斜面の曲率半径よりも小さくなっていてもよい。
【００２３】
そして、変曲点に繋がる第１の水平線と第１の傾斜面の端部における一点に繋がる第２の水平線間の第１の距離値は、変曲点に繋がる第１の水平線と第２の傾斜面の端部における一点に繋がる第３の水平線間の第２の距離値よりも大きくなっていてもよい。
【００２４】
また、実施形態は、第２のリフレクタから一定の空間を置いて配置された光学部材をさらに備え、第２のリフレクタと前記光学部材間の空間にはエアーガイド領域が形成されていてもよい。
【００２５】
また、実施形態は、第１のリフレクタと、第２のリフレクタと、第１のリフレクタと第２のリフレクタとの間に配置された光源モジュールと、第２のリフレクタを支持する支持部材と、を備え、支持部材は、一定の高さで突出した複数の突起を有し、各突起は、相対する第３及び第４の側面を有し、突起の第３の側面と第４の側面は互いに非対称になっており、第３の側面の第３の高さと第４の側面の第４の高さとの比は１：１．０１〜８０または１．０１〜８０：１になっていてもよい。
【００２６】
ここで、支持部材は、縁（ｅｄｇｅ）に隣接している第１の領域と、中央（ｃｅｎｔｅｒ）に隣接している第２の領域と、第１の領域と第２の領域との間に位置している第３の領域を有し、支持部材の第１の領域に形成された突起は、第３の側面の第３の高さと第４の側面の第４の高さとの比が１．０１〜８０：１になっており、支持部材の第２の領域に形成された突起は、第３の側面の第３の高さと第４の側面の第４の高さとの比が１：１．０５〜３になっており、支持部材の第３の領域に形成された突起は、第３の側面の第３の高さと第４の側面の第４の高さとの比が１：１．０１〜１．０５になっていてもよい。
【００２７】
そして、突起の第３の側面と光源モジュール間の距離値は、突起の第４の側面と光源モジュール間の距離値よりも小さくなっていてもよい。
【００２８】
また、突起は、第３の側面と第４の側面とを連結する上面を有し、突起の上面は水平になっており、突起の第３の側面は、上面から第１の角度で傾斜しており、突起の第４の側面は上面から第２の角度で傾斜しており、第１の角度と第２の角度は互いに異なっていてもよい。
【００２９】
ここで、突起の上面には少なくとも一つの孔が形成されていてもよく、突起は中空の突起であってもよい。
【００３０】
また、支持部材は、変曲点を中心に隣接している第１、第２の傾斜面を有し、変曲点に繋がる第１の水平線と、第１の傾斜面または第２の傾斜面の端部における一点に繋がる第２の水平線との間の距離値は、１５〜５０ｍｍになっていてもよい。
【００３１】
ここで、支持部材の第１の傾斜面と第２の傾斜面は、互いに異なる曲率半径を有していてもよく、支持部材の第１の傾斜面は光源モジュールに隣接しており、第１の傾斜面の曲率半径は、第２の傾斜面の曲率半径よりも小さくなっていてもよい。
【００３２】
また、変曲点に繋がる第１の水平線と第１の傾斜面の端部における一点に繋がる第２の水平線との間の第１の距離値は、変曲点に繋がる第１の水平線と第２の傾斜面の端部における一点に繋がる第３の水平線との間の第２の距離値よりも大きくなっていてもよい。
【００３３】
そして、支持部材は導電性物質を含んでもよい。
【００３４】
また、実施形態は、第２のリフレクタから一定の空間を置いて配置された光学部材をさらに備え、第２のリフレクタと前記光学部材との間の空間にはエアーガイド領域が形成されていてもよい。
【発明の効果】
【００３５】
実施形態は、リフレクタを支持する金属性支持部材を用いることによって、静電気またはＥＭＩによる外部回路の損傷を防止することができる。
【００３６】
また、実施形態は、金属性支持部材に複数の締結用突起を配置して、外部回路を簡易に連結することができる。
【００３７】
そして、実施形態は、傾斜面を有する金属性支持部材を用いて、導光板無しで、エアーガイド（ａｉｒ  ｇｕｉｄｅ）領域を有する構造にすることによって、軽量、低作製コスト、及び均一な輝度といった効果を提供することができる。
【００３８】
その結果、照明ユニットの経済性及び信頼性を向上させることができる。
【図面の簡単な説明】
【００３９】
下記の図面を参照して実施形態について詳細に説明する。ただし、図面中、同一の構成要素には同一の参照符号を付する。
【図１】実施形態に係る２エッジタイプの照明ユニットを説明するための断面図である。
【図２】支持部材の傾斜面を示す断面図である。
【図３Ａ】支持部材の第１、第２の傾斜面を比較した断面図である。
【図３Ｂ】支持部材の第１、第２の傾斜面を比較した断面図である。
【図３Ｃ】支持部材の第１、第２の傾斜面を比較した断面図である。
【図４Ａ】支持部材の材質を示す断面図である。
【図４Ｂ】支持部材の材質を示す断面図である。
【図４Ｃ】支持部材の材質を示す断面図である。
【図５Ａ】支持部材に配置された導電体層を示す断面図である。
【図５Ｂ】支持部材に配置された導電体層を示す断面図である。
【図５Ｃ】支持部材に配置された導電体層を示す断面図である。
【図６】支持部材の中空を示す断面図である。
【図７】支持部材の中空に形成された孔を示す断面図である。
【図８Ａ】支持部材の中空を詳細に示す断面図である。
【図８Ｂ】支持部材の中空を詳細に示す断面図である。
【図９Ａ】中空の側面形状を示す断面図である。
【図９Ｂ】中空の側面形状を示す断面図である。
【図９Ｃ】中空の側面形状を示す断面図である。
【図１０】支持部材の位置による中空の大きさを示す断面図である。
【図１１】支持部材の突起を示す断面図である。
【図１２】中空の突起を示す断面図である。
【図１３】図１２の突起に形成された孔を示す断面図である。
【図１４Ａ】支持部材の突起を詳細に示す断面図である。
【図１４Ｂ】支持部材の突起を詳細に示す断面図である。
【図１５Ａ】突起の側面形状を示す断面図である。
【図１５Ｂ】突起の側面形状を示す断面図である。
【図１５Ｃ】突起の側面形状を示す断面図である。
【図１６】支持部材の位置による突起の大きさを示す断面図である。
【図１７】突起の側面配置を示す断面図である。
【図１８Ａ】互いに隣接している突起の高さを比較した断面図である。
【図１８Ｂ】互いに隣接している突起の高さを比較した断面図である。
【図１９】突起が配置された支持部材を示す斜視図である。
【図２０Ａ】支持部材の突起形状を示す斜視図である。
【図２０Ｂ】支持部材の突起形状を示す斜視図である。
【図２０Ｃ】支持部材の突起形状を示す斜視図である。
【図２０Ｄ】支持部材の突起形状を示す斜視図である。
【図２０Ｅ】支持部材の突起形状を示す斜視図である。
【図２１Ａ】光源モジュールと第１及び第２のリフレクタとの配置関係を説明するための図である。
【図２１Ｂ】光源モジュールと第１及び第２のリフレクタとの配置関係を説明するための図である。
【図２１Ｃ】光源モジュールと第１及び第２のリフレクタとの配置関係を説明するための図である。
【図２１Ｄ】光源モジュールと第１及び第２のリフレクタとの配置関係を説明するための図である。
【図２２Ａ】傾斜面を有する第１のリフレクタを示す図である。
【図２２Ｂ】傾斜面を有する第１のリフレクタを示す図である。
【図２２Ｃ】傾斜面を有する第１のリフレクタを示す図である。
【図２２Ｄ】傾斜面を有する第１のリフレクタを示す図である。
【図２３Ａ】反射パターンを有する第１のリフレクタを示す図である。
【図２３Ｂ】反射パターンを有する第１のリフレクタを示す図である。
【図２３Ｃ】反射パターンを有する第１のリフレクタを示す図である。
【図２３Ｄ】反射パターンを有する第１のリフレクタを示す図である。
【図２４】第２のリフレクタの反射面を示す断面図である。
【図２５】光学部材を示す斜視図である。
【図２６】実施形態に係る照明ユニットを有するディスプレイモジュールを示す図である。
【図２７】実施形態に係るディスプレイ装置を示す図である。
【図２８】実施形態に係るディスプレイ装置を示す図である。
【発明を実施するための形態】
【００４０】
以下、添付の図面を参照して実施形態を説明する。
【００４１】
本実施形態の説明において、ある構成要素（ｅｌｅｍｅｎｔ）の「上（上部）」または「下（下部）」（ｏｎ  ｏｒ  ｕｎｄｅｒ）に他の構成要素が形成されるという記載は、これらの両構成要素が互いに直接（ｄｉｒｅｃｔｌｙ）接触して形成される場合も、これら両構成要素の間に一つ以上のさらに他の構成要素が介在して（ｉｎｄｉｒｅｃｔｌｙ）形成される場合も含むことができる。
【００４２】
また、「上（上部）」または「下（下部）」（ｏｎ  ｏｒ  ｕｎｄｅｒ）と表現された場合は、一つの構成要素を基準に上方を指す場合もあり、下方を指す場合もある。
【００４３】
図１は、実施形態に係る２エッジタイプの照明ユニットを説明するための断面図である。
【００４４】
図１で、照明ユニットは、光源モジュール１００、第１及び第２のリフレクタ２００，３００、及び支持部材４００を備えている。
【００４５】
ここで、光源モジュール１００は、第１のリフレクタ２００と第２のリフレクタ３００との間に配置され、第１のリフレクタ２００または第２のリフレクタ３００に隣接して配置されている。
【００４６】
場合によって、光源モジュール１００は第１のリフレクタ２００に接するとともに、第２のリフレクタ３００から一定の間隔を置いて配置されていてもよく、第２のリフレクタ３００に接するとともに、第１のリフレクタ２００から一定の間隔を置いて配置されていてもよい。
【００４７】
または、光源モジュール１００は、第１のリフレクタ２００及び第２のリフレクタ３００の両方から一定の間隔を置いて配置されていてもよく、第１のリフレクタ２００及び第２のリフレクタ３００の両方に接していてもよい。
【００４８】
そして、光源モジュール１００は、電極パターンを有する基板１００ｂと、基板１００ｂ上に配置された少なくとも一つの光源１００ａを備えている。
【００４９】
ここで、光源モジュール１００の光源１００ａは、上面発光型（ｔｏｐ  ｖｉｅｗ  ｔｙｐｅ）の発光ダイオードでよい。
【００５０】
場合によって、光源１００ａは側面発光型（ｓｉｄｅ  ｖｉｅｗ  ｔｙｐｅ）の発光ダイオードであってもよい。
【００５１】
そして、基板１００ｂは、ポリエチレンテレフタレート（ＰＥＴ）、ガラス、ポリカーボネート（ＰＣ）、シリコン（Ｓｉ）から選ばれるいずれか一物質からなるＰＣＢ（Ｐｒｉｎｔｅｄ  Ｃｉｒｃｕｉｔ  Ｂｏａｒｄ）基板でもよく、フィルム形態のものでもよい。
【００５２】
また、基板１００ｂは、単層ＰＣＢ、多層ＰＣＢ、セラミック基板、メタルコアＰＣＢなどを選択的に使用すればよい。
【００５３】
ここで、基板１００ｂは、反射コーティングフィルム及び反射コーティング物質層のいずれか一つが形成されていてもよく、光源１００ｂから生成された光を第２のリフレクタ３００の中央領域に反射させることができる。
【００５４】
また、光源１００ａは、発光ダイオードチップ（ＬＥＤ  ｃｈｉｐ）でよく、発光ダイオードチップは、ブルーＬＥＤチップまたは紫外線ＬＥＤチップで構成されてもよく、またはレッドＬＥＤチップ、グリーンＬＥＤチップ、ブルーＬＥＤチップ、イエローグリーン（Ｙｅｌｌｏｗ  ｇｒｅｅｎ）ＬＥＤチップ、ホワイトＬＥＤチップの少なくとも一つまたは２以上を組み合わせたパッケージ形態で構成されてもよい。
【００５５】
そして、ホワイトＬＥＤは、ブルーＬＥＤ上にイエロー燐光（Ｙｅｌｌｏｗ  ｐｈｏｓｐｈｏｒ）を結合して具現してもよく、ブルーＬＥＤ上にレッド燐光（Ｒｅｄ  ｐｈｏｓｐｈｏｒ）とグリーン燐光（Ｇｒｅｅｎ  ｐｈｏｓｐｈｏｒ）を同時に結合して具現してもよく、ブルーＬＥＤ上にイエロー燐光（Ｙｅｌｌｏｗ  ｐｈｏｓｐｈｏｒ）、レッド燐光（Ｒｅｄ  ｐｈｏｓｐｈｏｒ）及びグリーン燐光（Ｇｒｅｅｎ  ｐｈｏｓｐｈｏｒ）を同時に結合して具現してもよい。
【００５６】
また、第１のリフレクタ２００と第２のリフレクタ３００との間の空間にはエアーガイド（ａｉｒ  ｇｕｉｄｅ）領域を有するように、第１のリフレクタ２００と第２のリフレクタ３００は一定の間隔を置いて互いに向かい合っている。
【００５７】
そして、第１のリフレクタ２００は、反射コーティングフィルム及び反射コーティング物質層のいずれか一つで形成されて、光源モジュール１００から生成された光を第２のリフレクタ３００の方向に反射させる役割を果たすことができる。
【００５８】
また、第１のリフレクタ２００の表面のうち、光源モジュール１００に面する表面上には鋸歯状の反射パターンが形成され、反射パターンの表面は平面または曲面でよい。
【００５９】
第１のリフレクタ２００の表面に反射パターンを形成すると、光源モジュール１００から生成された光を第２のリフレクタ３００の中央領域に反射させることによって、照明ユニットの中央領域における輝度を増大させることができる。
【００６０】
また、第２のリフレクタ３００は、支持部材４００により支持されており、アルミニウム（Ａｌ）、銀（Ａｇ）、金（Ａｕ）、二酸化チタン（ＴｉＯ２）などのような高反射率を有する金属または金属酸化物を含んで構成されている。
【００６１】
また、支持部材４００は、第２のリフレクタ３００に面する第１の面４００ａと、第１の面４００ａに面する第２の面４００ｂとを有している。
【００６２】
ここで、支持部材４００の第２の面４００ｂには、一定の高さで突出した複数の突起が形成されていてもよい。
【００６３】
ここでは、支持部材４００の第２の面４００ｂに外部回路基板を締結することができ、突起を介して外部回路基板を固定することができる。
【００６４】
また、支持部材４００は導電性の物質を含むことができ、支持部材４００の全体が導電体でもよいし、場合によって、支持部材４００の一部のみ導電体であってもよい。
【００６５】
このように、支持部材４００が導電性物質を含むと、静電気またはＥＭＩ（Ｅｌｅｃｔｒｏ  Ｍａｇｎｅｔｉｃ  Ｉｎｔｅｒｆｅｒｅｎｃｅ）による外部回路の損傷を防止することができる。
【００６６】
そして、支持部材４００は、一部に傾斜面を有していてもよく、アルミニウム（Ａｌ）、銀（Ａｇ）、金（Ａｕ）、二酸化チタン（ＴｉＯ２）などのような高反射率を有する金属または金属酸化物を含んで構成されてもよい。
【００６７】
そして、支持部材４００の傾斜面は、光源モジュール１００及び第１のリフレクタ２００の少なくとも一方と重なっている。
【００６８】
ここで、支持部材４００の傾斜面は、第１のリフレクタ２００の表面に対して一定の角度で傾斜した面になっており、傾斜面は、凹面（ｃｏｎｃａｖｅ  ｓｕｒｆａｃｅ）、凸面（ｃｏｎｖｅｘ  ｓｕｒｆａｃｅ）、平面（ｆｌａｔ  ｓｕｒｆａｃｅ）の少なくとも一つでよい。
【００６９】
場合によって、支持部材４００は、少なくとも一つの傾斜面と少なくとも一つの平面とを有してもよく、支持部材４００の平面は第１のリフレクタ２００と平行な面になっている。
【００７０】
また、支持部材４００は、少なくとも一つの変曲点を有する少なくとも２個の傾斜面を有してもよく、変曲点を中心に隣接している第１、第２の傾斜面の曲率は互いに異なっていてもよい。
【００７１】
一方、光学部材６００は、第２のリフレクタ３００から一定の空間を置いて配置されている。
【００７２】
そして、第２のリフレクタ３００と光学部材６００との間の空間にはエアーガイド領域が形成されている。
【００７３】
ここで、光学部材６００は上部表面に凹凸パターンを有していてもよい。
【００７４】
光学部材６００は、光源モジュール１００から発された光を拡散させるためのもので、拡散効果を増大させるために上部表面に凹凸パターンを有することができる。
【００７５】
すなわち、光学部材６００は複数の層で形成されており、凹凸パターンを最上層またはいずれか一層の表面に有することができる。
【００７６】
そして、凹凸パターンは光源モジュール１００に並んで配置されたストライプ形状を有することができる。
【００７７】
ここでは、凹凸パターンは、光学部材６００表面に形成された突出部を有し、突出部は、互いに向かい合っている第１の面と第２の面とで構成され、第１の面と第２の面との角は、鈍角または鋭角でよい。
【００７８】
場合によって、光学部材６００は、少なくとも一つのシートからなり、拡散シート、プリズムシート、輝度強化シートなどを選択的に含むことができる。
【００７９】
ここで、拡散シートは、光源から発された光を拡散させ、プリズムシートは、拡散された光を発光領域にガイドし、輝度強化シートは輝度を強化させる。
【００８０】
図２は、支持部材の傾斜面を示す断面図である。
【００８１】
図２に示すように、支持部材４００は、第２のリフレクタ３００を支持することができる。ここで、支持部材４００は、変曲点Ｐを中心に隣接している第１、第２の傾斜面を有している。
【００８２】
ここで、変曲点Ｐに繋がる第１の水平線と、第１の傾斜面の端部上の一点に繋がる第２の水平線との間の距離値ｄ１は、約１５〜５０ｍｍになっている。
【００８３】
また、変曲点Ｐに繋がる第１の水平線と、第２の傾斜面の端部上の一点に繋がる第３の水平線との間の距離値ｄ２は、約１５〜５０ｍｍになっている。
【００８４】
もし、距離値ｄ１及びｄ２が約１５ｍｍ以下になると、光源モジュール１００の隣接領域においてホットスポット（ｈｏｔｓｐｏｔ）が発生し、全体的な輝度が不均一になることがある。
【００８５】
また、距離値ｄ１及びｄ２が約５０ｍｍ以上になると、全体的な照明ユニットの厚さが増加して、輝度が低下することがある。
【００８６】
ここで、距離値ｄ１は距離値ｄ２よりも大きくなっていてもよい。
【００８７】
場合によって、距離値ｄ１と距離値ｄ２は互いに同一であってもよく、場合によっては、距離値ｄ１が距離値ｄ２よりも小さくてもよい。
【００８８】
また、支持部材４００は、変曲点Ｐを中心に隣接している第１、第２の傾斜面を有し、第１の傾斜面は第１の曲率半径Ｒ１を有する曲面であり、第２の傾斜面は第２の曲率半径Ｒ２を有する曲面であってもよい。
【００８９】
ここで、第１の曲率半径Ｒ１は第２の曲率半径Ｒ２と異なっていてもよい。
【００９０】
例えば、第１の傾斜面の第１の曲率半径Ｒ１は、第２の傾斜面の第２の曲率半径Ｒ２よりも小さくなっていてもよい。
【００９１】
そして、支持部材４００の第１の傾斜面上に配置される第２のリフレクタ３００は、光を正反射する正反射シートであり、支持部材４００の第２の傾斜面上に配置される第２のリフレクタ３００は、光を正反射する正反射シート、及び光を乱反射する乱反射シートの少なくとも一つであればよい。
【００９２】
支持部材４００の第１の傾斜面に正反射シートを形成すると、輝度の弱い支持部材４００の中央領域へ光を多く反射させることで均一な輝度を提供することができる。
【００９３】
また、支持部材４００の第２の傾斜面に乱反射シートを形成すると、輝度の弱い支持部材４００の第２の傾斜面で光を乱反射させることで輝度を補償することができる。
【００９４】
図３Ａ乃至図３Ｃは、支持部材の第１、第２の傾斜面を比較した断面図である。
【００９５】
図３Ａ乃至図３Ｃに示すように、支持部材４００は、変曲点Ｐを中心に隣接している第１、第２の傾斜面を有することができる。
【００９６】
ここで、第１の傾斜面は、第１の曲率半径Ｒ１を有する曲面、第２の傾斜面は、第２の曲率半径Ｒ２を有する曲面になっている。
【００９７】
そして、第１の曲率半径Ｒ１は第２の曲率半径Ｒ２と互いに異なっていてもよい。
【００９８】
一例として、第１の傾斜面の第１の曲率半径Ｒ１は、第２の傾斜面の第２の曲率半径Ｒ２よりも小さくなっていてもよい。
【００９９】
また、変曲点Ｐに繋がる第１の水平線と、第１の傾斜面の端部における一点に繋がる第２の水平線と間の距離値ｄ１は、約１５〜５０ｍｍになっている。
【０１００】
また、変曲点Ｐに繋がる第１の水平線と、第２の傾斜面の端部における一点に繋がる第３の水平線と間の距離値ｄ２は、約１５〜５０ｍｍになっている。
【０１０１】
ここでは、図３Ａに示すように、距離値ｄ１は距離値ｄ２よりも大きくなっている。
【０１０２】
場合によって、図３Ｂに示すように、距離値ｄ１と距離値ｄ２とが互いに同一であってもよいし、図３Ｃに示すように、距離値ｄ１が距離値ｄ２よりも小さくてもよい。
【０１０３】
このように、距離値ｄ１と距離値ｄ２とが可変である理由は、照明ユニットの厚さ、ディスプレイ装置のベゼル（ｂｅｚｅｌ）面積、第２のリフレクタの反射度などの設計目標によって、輝度の均一度が変わるからである。
【０１０４】
そのため、設計目標に基づく輝度均一度に応じて、支持部材４００の距離値ｄ１と距離値ｄ２とを制御して作製すればよい。
【０１０５】
図４Ａ乃至図４Ｃは、支持部材の材質を示す断面図である。
【０１０６】
図４Ａ乃至図４Ｃに示すように、支持部材４００は、相対する第１の面４００ａと第２の面４００ｂとを有している。
【０１０７】
ここで、支持部材４００の第１の面４００ａには第２のリフレクタを取り付けることができる。
【０１０８】
そして、支持部材４００の第１の面４００ａには複数の中空が形成されていてもよい。
【０１０９】
これら複数の中空は、支持部材４００の第２の面４００ｂに取り付けられる外部回路基板と締結されて、外部回路基板を固定することができる。
【０１１０】
また、支持部材４００の第２の面４００ｂには、一定の高さで突出した複数の突起が形成されていてもよい。
【０１１１】
この場合、支持部材４００の第２の面４００ｂに締結される外部回路基板を、これらの突起を介して固定することができる。
【０１１２】
また、支持部材４００は、導電性物質を含むことができる。支持部材４００の全体が導電体になっていてもよく、場合によって、支持部材４００の一部のみが導電体になっていてもよい。
【０１１３】
例えば、図４Ａに示すように、支持部材４００は導電体であってもよい。
【０１１４】
ここで、支持部材４００は、金属材質からなり、アルミニウム（Ａｌ）、銀（Ａｇ）、金（Ａｕ）、二酸化チタン（ＴｉＯ２）のような高反射率を有する金属または金属酸化物を含んで構成されている。
【０１１５】
このように、支持部材４００に導電性物質が含まれると、静電気またはＥＭＩ（Ｅｌｅｃｔｒｏ  Ｍａｇｎｅｔｉｃ  Ｉｎｔｅｒｆｅｒｅｎｃｅ）による外部回路の損傷を防止することができる。
【０１１６】
場合によって、図４Ｂに示すように、支持部材４００は不導電体（ｎｏｎｃｏｎｄｕｃｔｏｒ）を含んでいてもよい。
【０１１７】
ここで、支持部材４００の不導電体は、プラスチックなどのような高分子樹脂でよい。
【０１１８】
すなわち、支持部材４００は不導電体層からなり、支持部材４００の一側面に第１の導電体層４０２が配置されていてもよい。
【０１１９】
ここで、第１の導電体層４０２は支持部材４００の第２の面４００ｂに配置されているが、これは、外部回路基板が支持部材４００の第２の面４００ｂに取り付けられるからである。
【０１２０】
支持部材４００が不導電体であると、静電気またはＥＭＩにより外部回路基板に悪影響が及ぶことがあり、よって、外部回路基板の取り付けられる支持部材４００の第２の面４００ｂに第１の導電体層４０２を形成することによって、外部回路の損傷を防止するわけである。
【０１２１】
場合によっては、図４Ｃに示すように、支持部材４００は不導電体層からなり、支持部材４００の両側面に第１、第２の導電体層４０２，４０３が配置されていてもよい。
【０１２２】
例えば、第１の導電体層４０２は支持部材４００の第２の面４００ｂに配置され、第２の導電体層４０３は支持部材４００の第１の面４００ａに配置されている。
【０１２３】
ここで、第１の導電体層４０２と第２の導電体層４０３は、互いに同じ物質であってもよく、場合によって、互いに異なる物質であってもよい。
【０１２４】
ここで、第１の導電体層４０２と第２の導電体層４０３を互いに異なる物質で形成する理由は、支持部材４００の第１の面４００ａで発生する静電気またはＥＭＩの強度と、支持部材４００の第２の面４００ｂで発生する静電気またはＥＭＩの強度とが、互いに異なることがあるからである。
【０１２５】
図５Ａ乃至図５Ｃは、支持部材に配置される導電体層を示す断面図である。
【０１２６】
図５Ａ乃至図５Ｃに示すように、支持部材４００は、相対する第１の面４００ａと第２の面４００ｂとを有することができる。
【０１２７】
ここで、支持部材４００は不導電体になっており、プラスチックなどのような高分子樹脂でよい。
【０１２８】
図５Ａに示すように、支持部材４００は不導電体層からなり、支持部材４００の一側面には第１の導電体層４０２が配置されてもよい。
【０１２９】
ここで、第１の導電体層４０２は、支持部材４００の第２の面４００ｂの一部分にのみ配置されており、第１の導電体層４０２の配置された領域に外部回路基板を取り付けることができる。
【０１３０】
そして、図５Ｂに示すように、支持部材４００は不導電体層からなり、支持部材４００の両側面に第１、第２の導電体層４０２、４０３が配置されてもよい。
【０１３１】
ここで、第１の導電体層４０２は支持部材４００の第２の面４００ｂの一部分にのみ配置され、第２の導電体層４０３も支持部材４００の第１の面４００ａの一部分にのみ配置されており、第１の導電体層４０２の配置された領域に外部回路基板を取り付けることができる。
【０１３２】
この場合、支持部材４００の第２の面４００ｂの一部分にのみ配置される第１の導電体層４０２と、支持部材４００の第１の面４００ａの一部分にのみ配置される第２の導電体層４０３は、相対して配置されている。
【０１３３】
場合によって、図５Ｃに示すように、支持部材４００の第２の面４００ｂの一部分にのみ配置される第１の導電体層４０２と、支持部材４００の第１の面４００ａの一部分にのみ配置される第２の導電体層４０３は、互いにずれて配置されてもよい。
【０１３４】
図６は、支持部材の中空を示す断面図である。
【０１３５】
図６に示すように、支持部材４００は、相対する第１の面４００ａと第２の面４００ｂとを有することができる。
【０１３６】
ここで、支持部材４００の第２の面４００ｂは水平な平面であり、支持部材４００の第１の面４００ａは、支持部材４００の第２の面４００ｂに対して傾斜した傾斜面になっている。
【０１３７】
この場合、支持部材４００の第１の面４００ａは、変曲点を中心に隣接している第１、第２の傾斜面を有することができ、支持部材４００の第１の面４００ａの第１の傾斜面と第２の傾斜面は、互いに異なる曲率半径を有してもよい。
【０１３８】
そして、支持部材４００の第１の面４００ａには複数の中空５００が形成されていてもよい。
【０１３９】
この場合、複数の中空５００は、支持部材４００の第２の面４００ｂに取り付けられる外部回路基板と締結されて、外部回路基板を固定することができる。
【０１４０】
また、各中空５００は、互いに面する第１、第２の側面を有しており、中空５００の第１の側面の第１の高さと中空５００の第２の側面の第２の高さが、互いに異なっていてもよい。
【０１４１】
ここで、中空５００の第１の側面の第１の高さと中空５００の第２の側面の第２の高さとの比は、約１：１．０１〜８０または約１．０１〜８０：１であればよい。
【０１４２】
図７は、支持部材の中空に形成された孔を示す断面図である。
【０１４３】
図７に示すように、支持部材４００は、相対する第１の面４００ａと第２の面４００ｂとを有することができる。
【０１４４】
ここで、支持部材４００の第２の面４００ｂは水平な平面であり、支持部材４００の第１の面４００ａは、支持部材４００の第２の面４００ｂに対して傾斜した傾斜面になっている。
【０１４５】
この場合、支持部材４００の第１の面４００ａは、変曲点を中心に隣接している第１、第２の傾斜面を有してもよく、支持部材４００の第１の面４００ａの第１の傾斜面と第２の傾斜面は、互いに異なる曲率半径を有してもよい。
【０１４６】
そして、支持部材４００の第１の面４００ａには複数の中空５００が形成されてもよい。
【０１４７】
この場合、各中空５００の底面には、少なくとも一つの孔５０２が形成されてもよい。
【０１４８】
ここで、各中空５００の底面に形成された孔５０２には、支持部材４００の第２の面４００ｂに配置される外部回路基板の締結部材を連結することができる。
【０１４９】
また、中空５００は、互いに面する第１、第２の側面を有し、中空５００の第１の側面の第１の高さと中空５００の第２の側面の第２の高さは、互いに異なっていてもよい。
【０１５０】
ここで、中空５００の第１の側面の第１の高さと中空５００の第２の側面の第２の高さとの比は、約１：１．０１〜８０または約１．０１〜８０：１であればよい。
【０１５１】
図８Ａ及び図８Ｂは、支持部材の中空を詳細に示す断面図である。
【０１５２】
図８Ａに示すように、支持部材４００は、相対する第１の面４００ａと第２の面４００ｂを有している。
【０１５３】
ここで、支持部材４００の第２の面４００ｂは水平な平面であり、支持部材４００の第１の面４００ａは、支持部材４００の第２の面４００ｂに対して傾斜した傾斜面になっている。
【０１５４】
そして、支持部材４００の第１の面４００ａには複数の中空５００が形成されている。
【０１５５】
ここで、各中空５００は、底面５０９、及び底面５０９の両側に繋がる第１、第２の側面５０５，５０７を有している。
【０１５６】
ここで、中空５００の第１の側面５０５の第１の高さｈ１と、中空５００の第２の側面５０７の第２の高さｈ２とが、互いに異なっていてもよい。
【０１５７】
ここで、中空５００の第１の側面５０５の第１の高さｈ１と中空５００の第２の側面５０７の第２の高さｈ２との比は、約１．０１〜８０：１になっている。
【０１５８】
このように、中空５００の第１の側面５０５と第２の側面５０７の高さが異なっている理由は、支持部材４００の第１の面４００ａが傾斜面であるからである。
【０１５９】
そのため、支持部材４００の第１の面４００ａの傾斜度によって、中空５００の第１の側面５０５と第２の側面５０７との高さ比が可変する。
【０１６０】
そして、中空５００の底面５０９には、少なくとも一つの孔５０２が形成されており、孔５０２の幅Ｗ２は、中空５００の底面５０９の幅Ｗ１よりも小さくなっている。
【０１６１】
また、図８Ｂに示すように、中空５００の第１の側面５０５の第１の高さｈ１と、中空５００の第２の側面５０７の第２の高さｈ２とが、互いに異なっていてもよい。
【０１６２】
ここで、中空５００の第１の側面５０５の第１の高さｈ１と中空５００の第２の側面５０７の第２の高さｈ２との比は、約１：１．０１〜８０になっている。
【０１６３】
このように、中空５００の第１の側面５０５と第２の側面５０７の高さは、支持部材４００の第１の面４００ａの傾斜面方向に応じて変わってもよい。
【０１６４】
図９Ａ乃至図９Ｃは、中空の側面形状を示す断面図である。
【０１６５】
図９Ａ乃至図９Ｃに示すように、支持部材４００は、複数の中空５００が形成されており、各中空５００は、底面５０９、及び底面５０９の両側に繋がる第１、第２の側面５０５、５０７を有している。
【０１６６】
ここで、中空５００の第１の側面５０５の第１の高さｈ１と、中空５００の第２の側面５０７の第２の高さｈ２は、互いに異なっていてもよい。
【０１６７】
ここで、中空５００の第１の側面５０５の第１の高さｈ１と中空５００の第２の側面５０７の第２の高さｈ２との比は、約１．０１〜８０：１または約１：１．０１〜８０であればよい。
【０１６８】
また、図９Ａに示すように、中空５００の第１の側面５０５は、中空５００の底面５０９に対して第１の角度θ１で傾斜しており、中空５００の第２の側面５０７は、中空５００の底面５０９に対して第２の角度θ２で傾斜している。
【０１６９】
ここで、第１の角度θ１と第２の角度θ２は鈍角になっており、第１の角度θ１と第２の角度θ２は互いに同一であってもよいし、場合によって、互いに異なっていてもよい。
【０１７０】
また、図９Ｂに示すように、中空５００の第１の側面５０５は、中空５００の底面５０９に対して垂直になっており、中空５００の第２の側面５０７も、中空５００の底面５０９に対して垂直になっている。
【０１７１】
ここで、第１の角度θ１と第２の角度θ２は直角になっている。
【０１７２】
場合によっては、図９Ｃに示すように、中空５００の第１の側面５０５は、中空５００の底面５０９に対して第１の角度θ１で傾斜しており、中空５００の第２の側面５０７は、中空５００の底面５０９に対して第２の角度θ２で傾斜していてもよい。
【０１７３】
ここで、第１の角度θ１と第２の角度θ２は鋭角になっており、第１の角度θ１と第２の角度θ２は互いに同一であってもよいし、場合によって、互いに異なっていてもよい。
【０１７４】
図１０は、支持部材の位置による中空の大きさを示す断面図である。
【０１７５】
図１０に示すように、支持部材４００は、縁（ｅｄｇｅ）に隣接している第１の領域と、中央（ｃｅｎｔｅｒ）に隣接している第２の領域と、第１の領域と第２の領域との間に位置している第３の領域とを有することができる。
【０１７６】
ここで、支持部材４００は、変曲点Ｐを中心に隣接している第１、第２の傾斜面を有しており、支持部材４００の第１の領域は、第１の傾斜面に位置しており、支持部材４００の第２の領域と第３の領域は、第２の傾斜面に位置している。
【０１７７】
そして、支持部材４００の第１の領域には、第１の中空５１１が配置され、支持部材４００の第２の領域には第２の中空５１５が配置され、支持部材４００の第３の領域には第３の中空５１３が配置されている。
【０１７８】
ここで、支持部材４００の第１の領域に配置されている第１の中空５１１は、第１の側面５０５の第１の高さｈ１と第２の側面５０７の第２の高さｈ２との比が、約１．０１〜８０：１になっている。
【０１７９】
また、支持部材４００の第２の領域に配置されている第２の中空５１５は、第１の側面５０５の第１の高さｈ１と第２の側面５０７の第２の高さｈ２との比が、約１：１．０５〜３になっている。
【０１８０】
また、支持部材４００の第３の領域に配置されている第３の中空５１３は、第１の側面５０５の第１の高さｈ１と第２の側面５０７の第２の高さｈ２との比が、約１：１．０１〜１．０５になっている。
【０１８１】
このように、中空の第１の側面５０５と第２の側面５０７の高さは、中空の位置によって、または支持部材４００の傾斜面の方向によって、可変する。
【０１８２】
図１１は、支持部材の突起を示す断面図である。
【０１８３】
図１１に示すように、支持部材４００は、相対する第１の面４００ａと第２の面４００ｂとを有している。
【０１８４】
ここで、支持部材４００の第１の面４００ａは、変曲点を中心に隣接している第１、第２の傾斜面を有し、支持部材４００の第１の面４００ａの第１の傾斜面と第２の傾斜面は、互いに異なる曲率半径を有してもよい。
【０１８５】
そして、支持部材４００は、第２の面４００ｂから一定の高さで突出した複数の突起５５０を有してもよい。
【０１８６】
この場合、複数の突起５５０は、支持部材４００の第２の面４００ｂに取り付けられる外部回路基板と締結されて、外部回路基板を固定することができる。
【０１８７】
また、各突起５５０は、相対する第３及び第４の側面を有することができ、突起５５０の第３の側面の第３の高さと突起５５０の第４の側面の第４の高さは、互いに異なっていてもよい。
【０１８８】
ここで、突起５５０の第３の側面の第３の高さと突起５５０の第４の側面の第４の高さとの比は、約１：１．０１〜８０または約１．０１〜８０：１であればよい。
【０１８９】
図１２は、中空の突起を示す断面図である。
【０１９０】
図１２に示すように、支持部材４００は、相対する第１の面４００ａと第２の面４００ｂとを有している。
【０１９１】
ここで、支持部材４００の第１の面４００ａは、変曲点を中心に隣接している第１、第２の傾斜面を有し、支持部材４００の第１の面４００ａの第１の傾斜面と第２の傾斜面は、互いに異なる曲率半径を有してもよい。
【０１９２】
そして、支持部材４００の第２の面４００ｂには複数の突起５５０が形成されており、各突起５５０は中空の突起になっている。
【０１９３】
すなわち、支持部材４００の第１の面４００ａには複数の溝５５５が形成されており、各溝５５５は各突起５５０に対応して配置されている。
【０１９４】
図１３は、図１２の突起に形成された孔を示す断面図である。
【０１９５】
図１３に示すように、支持部材４００は、相対する第１の面４００ａと第２の面４００ｂとを有している。
【０１９６】
ここで、支持部材４００の第１の面４００ａは、変曲点を中心に隣接している第１、第２の傾斜面を有し、支持部材４００の第１の面４００ａの第１の傾斜面と第２の傾斜面は、互いに異なる曲率半径を有してもよい。
【０１９７】
そして、支持部材４００の第２の面４００ｂには、複数の突起５５０が形成されている。
【０１９８】
ここで、各突起５５０の上面には、少なくとも一つの孔５５７が形成されている。
【０１９９】
ここで、各突起５５０の上面に形成された孔５５７は、支持部材４００の第２の面４００ｂに配置される外部回路基板の締結部材と連結される。
【０２００】
また、各突起５５０は、相対する第３及び第４の側面を有しており、突起５５０の第３の側面の第３の高さと突起５５０の第４の側面の第４の高さは、互いに異なっていてもよい。
【０２０１】
ここで、突起５５０の第３の側面の第３の高さと突起５５０の第４の側面の第４の高さとの比は、約１：１．０１〜８０または約１．０１〜８０：１であればよい。
【０２０２】
図１４Ａ及び図１４Ｂは、支持部材の突起を詳細に示す断面図である。
【０２０３】
図１４Ａに示すように、支持部材４００は、相対する第１の面４００ａと第２の面４００ｂとを有している。
【０２０４】
ここで、支持部材４００は、第２の面４００ｂから一定の高さで突出した複数の突起５５０を有することができる。
【０２０５】
ここで、各突起５５０は、上面５５３、及び上面５５３の両側に繋がる第３、第４の側面５５１、５５２を有している。
【０２０６】
この場合、突起５５０の第３の側面５５１の第３の高さｈ３と突起５５０の第４の側面５５２の第４の高さｈ４は、互いに異なっていてもよい。
【０２０７】
ここで、突起５５０の第３の側面５５１の第３の高さｈ３と突起５５０の第４の側面５５２の第４の高さｈ４との比は、約１．０１〜８０：１になっている。
【０２０８】
このように、突起５５０の第３の側面５５１と第４の側面５５２の高さとが異なっている理由は、支持部材４００の第１の面４００ａと第２の面４００ｂが傾斜面であるからである。
【０２０９】
そのため、支持部材４００の第２の面４００ｂの傾斜度によって、突起５５０の第３の側面５５１と第４の側面５５２の高さ比が可変する。
【０２１０】
そして、突起５５０の上面５５３には少なくとも一つの孔５５７が形成されており、孔５５７の幅ｗ４は、突起５５０の上面５５３の幅ｗ３よりも小さくなっている。
【０２１１】
また、図１４Ｂに示すように、突起５５０の第３の側面５５１の第３の高さｈ３と突起５５０の第４の側面５５２の第４の高さｈ４は、互いに異なっていてもよい。
【０２１２】
ここで、突起５５０の第３の側面５５１の第３の高さｈ３と突起５５０の第４の側面５５２の第４の高さｈ４との比は、約１：１．０１〜８０になっている。
【０２１３】
このように、突起５５０の第３の側面５５１と第４の側面５５２の高さは、支持部材４００の第２の面４００ｂの傾斜面の方向によって、可変かる。
【０２１４】
図１５Ａ乃至図１５Ｃは、突起の側面形状を示す断面図である。
【０２１５】
図１５Ａ乃至図１５Ｃに示すように、支持部材４００は、複数の突起５５０を有することができ、各突起５５０は、上面５５３、及び上面５５３の両側に繋がる第３、第４の側面５５１、５５２を有している。
【０２１６】
ここで、突起５５０の第３の側面５５１の第３の高さｈ３と突起５５０の第４の側面５５２の第４の高さｈ４は、互いに異なっていてもよい。
【０２１７】
ここで、突起５５０の第３の側面５５１の第３の高さｈ３と突起５５０の第４の側面５５２の第４の高さｈ４との比は、約１．０１〜８０：１または約１：１．０１〜８０であればよい。
【０２１８】
また、図１５Ａに示すように、突起５５０の第３の側面５５１は、突起５５０の上面５５３に対して第３の角度θ３で傾斜しており、突起５５０の第４の側面５５２は、突起５５０の上面５５３に対して第４の角度θ４で傾斜している。
【０２１９】
ここで、第３の角度θ３と第４の角度θ４は鈍角になっており、第３の角度θ３と第４の角度θ４は、互いに同一であってもよいし、場合によって、互いに異なっていてもよい。
【０２２０】
また、図１５Ｂに示すように、突起５５０の第３の側面５５１は、突起５５０の上面５５３に対して垂直になっており、突起５５０の第４の側面５５２は、突起５５０の上面５５３に対して垂直になっている。
【０２２１】
ここで、第３の角度θ３と第４の角度θ４は直角でよい。
【０２２２】
場合によっては、図１５Ｃに示すように、突起５５０の第３の側面５５１は、突起５５０の上面５５３に対して第３の角度θ３で傾斜しており、突起５５０の第４の側面５５２は、突起５５０の上面５５３に対して第４の角度θ４で傾斜している。
【０２２３】
ここで、第３の角度θ３と第４の角度θ４は鋭角になっており、第３の角度θ３と第４の角度θ４は、互いに同一であってもよいし、場合によって、互いに異なっていてもよい。
【０２２４】
図１６は、支持部材の位置による突起の大きさを示す断面図である。
【０２２５】
図１６に示すように、支持部材４００は、縁（ｅｄｇｅ）に隣接している第１の領域と、中央（ｃｅｎｔｅｒ）に隣接している第２の領域と、第１の領域と第２の領域との間に位置している第３の領域を有することができる。
【０２２６】
ここで、支持部材４００は、変曲点Ｐを中心に隣接している第１、第２の傾斜面を有しており、支持部材４００の第１の領域は、第１の傾斜面に位置しており、支持部材４００の第２の領域と第３の領域は、第２の傾斜面に位置している。
【０２２７】
そして、支持部材４００の第１の領域には第１の突起５５０ａが配置され、支持部材４００の第２の領域には第２の突起５５０ｃが配置され、支持部材４００の第３の領域には第３の突起５５０ｂが配置されている。
【０２２８】
ここで、支持部材４００の第１の領域に配置されている第１の突起５５０ａは、第３の側面５５１の第３の高さｈ３と第４の側面５５２の第４の高さｈ４との比が、約１．０１〜８０：１になっている。
【０２２９】
また、支持部材４００の第２の領域に配置されている第２の突起５５０ｃは、第３の側面５５１の第３の高さｈ３と第４の側面５５２の第４の高さｈ４との比が、約１：１．０５〜３になっている。
【０２３０】
また、支持部材４００の第３の領域に配置されている第３の突起５５０ｂは、第３の側面５５１の第３の高さｈ３と第４の側面５５２の第４の高さｈ４との比が、約１：１．０１〜１．０５になっている。
【０２３１】
このように、突起の第３の側面５５１と第４の側面５５２の高さは、突起の位置によって、または支持部材４００の傾斜面方向によって、可変する。
【０２３２】
図１７は、突起の側面配置を示す断面図である。
【０２３３】
図１７に示すように、光源モジュール１００は支持部材４００の端部に配置されており、支持部材４００は一定の高さの突起５５０を有している。
【０２３４】
ここで、突起５５０は、第３の側面５５１及び第４の側面５５２を有しており、突起５５０の第３の側面５５１は支持部材４００の縁領域に面するように配置され、突起５５０の第４の側面５５２は支持部材４００の中央領域に面するように配置されている。
【０２３５】
この場合、突起５５０の第３の側面５５１と光源モジュール１００間の距離値ｄ３は、突起５５０の第４の側面５５２と光源モジュール１００間の距離値よりも小さくなっている。
【０２３６】
図１８Ａ及び図１８Ｂは、隣接している突起同士の高さを比較した断面図である。
【０２３７】
図１８Ａ及び図１８Ｂに示すように、支持部材４００は、一定の高さで突出した複数の突起を有することができる。
【０２３８】
ここで、突起は、相対する第３及び第４の側面を有し、突起の第３の側面と第４の側面とは非対称になっている。
【０２３９】
そして、突起の第３の側面と第４の側面との間には上面があり、該突起の上面は水平な平面であり、突起の第３の側面と第４の側面は突起の上面に対して一定の角度で傾斜している。
【０２４０】
ここで、隣接している突起の上面はそれぞれ異なる線上に位置していてもよく、場合によって、同一線上に位置していてもよい。
【０２４１】
例えば、図１８Ａに示すように、第３の突起５５０ｂの両側に第１、第２の突起５５０ａ、５５０ｃが配置されており、第３の突起５５０ｂの上面５５３ｂは、第１の突起５５０ａの上面５５３ａ及び第２の突起５５０ｃの上面５５３ｃと異なる線上に位置している。
【０２４２】
すなわち、支持部材４００の端部の一点に繋がる水平線と第３の突起５５０ｂの上面５５３ｂの一点に繋がる水平線間の高さｈ１２は、支持部材４００の端部の一点に繋がる水平線と第１の突起５５０ａの上面５５３ａの一点に繋がる水平線間の高さｈ１１よりも大きくなっている。
【０２４３】
そして、支持部材４００の端部の一点に繋がる水平線と第３の突起５５０ｂの上面５５３ｂの一点に繋がる水平線間の高さｈ１２は、支持部材４００の端部の一点に繋がる水平線と第２の突起５５０ｃの上面５５３ｃの一点に繋がる水平線間の高さｈ１３よりも大きくなっている。
【０２４４】
また、支持部材４００の端部の一点に繋がる水平線と第１の突起５５０ａの上面５５３ａの一点に繋がる水平線間の高さｈ１１は、支持部材４００の端部の一点に繋がる水平線と第２の突起５５０ｃの上面５５３ｃの一点に繋がる水平線間の高さｈ１３よりも大きくなっている。
【０２４５】
場合によって、図１８Ｂに示すように、第３の突起５５０ｂの両側に第１、第２の突起５５０ａ、５５０ｃが配置されており、第３の突起５５０ｂの上面５５３ｂは、第１の突起５５０ａの上面５５３ａ及び第２の突起５５０ｃの上面５５３ｃと同一線上（ｃｏ−ｌｉｎｅａｒ）に位置していてもよい。
【０２４６】
すなわち、支持部材４００の端部の一点に繋がる水平線と第３の突起５５０ｂの上面５５３ｂの一点に繋がる水平線間の高さｈ１２は、支持部材４００の端部の一点に繋がる水平線と第１の突起５５０ａの上面５５３ａの一点に繋がる水平線間の高さｈ１１と同一になっている。
【０２４７】
そして、支持部材４００の端部の一点に繋がる水平線と第３の突起５５０ｂの上面５５３ｂの一点に繋がる水平線間の高さｈ１２は、支持部材４００の端部の一点に繋がる水平線と第２の突起５５０ｃの上面５５３ｃの一点に繋がる水平線間の高さｈ１３と同一になっている。
【０２４８】
図１９は、突起が配置されている支持部材を示す斜視図である。
【０２４９】
図１９に示すように、支持部材４００は、第２のリフレクタが配置される第１の面と、外部回路基板が配置される第２の面とを有することができる。
【０２５０】
ここで、支持部材４００は、変曲点を中心に隣接している第１、第２の傾斜面を有し、支持部材４００の第１の傾斜面と第２の傾斜面は、互いに異なる曲率半径を有してもよい。
【０２５１】
そして、支持部材４００は、第２の面から一定の高さで突出した複数の突起５５０を有している。
【０２５２】
ここで、複数の突起５５０は、支持部材４００の第２の面に取り付けられる外部回路基板と締結されて、外部回路基板を固定することができる。
【０２５３】
また、各突起５５０は、相対する第３及び第４の側面を有し、突起５５０の第３の側面と突起５５０の第４の側面は互いに非対称になっていてもよい。
【０２５４】
これは、突起５５０が支持部材４００の傾斜面に沿って配置されているからである。
【０２５５】
また、支持部材４００の突起５５０の周辺には締結孔５７０が配置されている。
【０２５６】
ここでは、締結孔５７０は、第２のリフレクタを固定するための固定部材と連結される。
【０２５７】
なお、支持部材４００の突起５５０は、突起５５０の位置によって様々な形状に形成されている。
【０２５８】
図２０Ａ乃至図２０Ｅは、支持部材の突起形状を示す斜視図である。
【０２５９】
図２０Ａ乃至図２０Ｅに示すように、突起５５０は、支持部材４００から一定の高さで突出している。
【０２６０】
ここで、突起５５０は、上面５５３、及び上面５５３の両側に繋がる第３、第４の側面５５１、５５２を有している。
【０２６１】
ここで、突起５５０の第３の側面５５１と第４の側面５５２は、互いに非対称になっている。
【０２６２】
すなわち、突起５５０の第３の側面５５１の高さと突起５５０の第４の側面５５２の高さとが互いに異なっている。
【０２６３】
例えば、突起５５０の第３の側面５５１の高さと突起５５０の第４の側面５５２との比は、約１：１．０１〜８０または約１．０１〜８０：１であればよい。
【０２６４】
また、突起５５０の側面は、平面であってもよく、曲面であってもよい。
【０２６５】
そして、突起５５０の上面５５３には、少なくとも一つの孔５５７が形成されている。
【０２６６】
ここで、孔５５７の大きさは、突起５５０の上面５５３の面積に応じて様々にすればよい。
【０２６７】
場合によって、図２０Ｃに示すように、突起５５０の上面５５３には、少なくとも一つのサブ突起５５８が配置されてもよい。
【０２６８】
なお、突起５５０の上面５５３の断面は、直方形、正方形、円形、楕円形、台形のいずれかにすることができる。
【０２６９】
このように、突起５５０の上面５５３に形成された孔５５７またはサブ突起５５８は、支持部材４００に取り付けられる外部回路基板と締結されて、外部回路基板を固定することができる。
【０２７０】
図２１Ａ乃至図２１Ｄは、光源モジュールと第１及び第２のリフレクタとの配置関係を説明するための図である。
【０２７１】
図２１Ａは、第１のリフレクタ２００及び第２のリフレクタ３００の両方から一定の間隔を置いて配置された光源モジュール１００を示す図であり、図２１Ｂは、第１のリフレクタ２００及び第２のリフレクタ３００の両方に接して配置された光源モジュール１００を示す図であり、図２１Ｃは、第１のリフレクタ２００に接するとともに、第２のリフレクタ３００から一定の間隔を置いて配置された光源モジュール１００を示す図であり、図２１Ｄは、第１のリフレクタ２００から一定の間隔を置いて配置されるとともに、第２のリフレクタ３００に接して配置された光源モジュール１００を示す図である。
【０２７２】
図２１Ａに示すように、光源モジュール１００は、第１のリフレクタ２００から第１の距離ｄ３１だけ離れ、第２のリフレクタ３００から第２の距離ｄ３２だけ離れて配置されている。
【０２７３】
ここで、第１の距離ｄ３１と第２の距離ｄ３２は互いに同一であってもよく、互いに異なっていてもよい。
【０２７４】
一例として、第１の距離ｄ３１は、第２の距離ｄ３２よりも小さいとよい。
【０２７５】
これは、第１の距離ｄ３１が第２の距離ｄ３２よりも大きいと、ホットスポット現象が現れることがあるからである。
【０２７６】
また、図２１Ｂに示すように、光源モジュール１００は、第１のリフレクタ２００及び第２のリフレクタ３００の両方に接していてもよい。
【０２７７】
このように、光源モジュール１００を第１及び第２のリフレクタ２００，３００に接して配置すると、ホットスポット防止し、光源モジュール１００から遠い領域に光を伝送でき、且つ全体的な照明ユニットの厚さを減らすことができる。
【０２７８】
そして、図２１Ｃに示すように、光源モジュール１００は、第１のリフレクタ２００に接しており、第２のリフレクタ３００から距離ｄだけ離れて配置されていてもよい。
【０２７９】
このように、光源モジュール１００を第１のリフレクタ２００に接して配置することによって、ホットスポット防止し、且つ光源モジュール１００から遠い領域に光を伝送することができる。
【０２８０】
また、図２１Ｄに示すように、光源モジュール１００は、第２のリフレクタ３００に接しており、第１のリフレクタ２００から距離ｄだけ離れていてもよい。
【０２８１】
図２２Ａ乃至図２２Ｄは傾斜面を有する第１のリフレクタを示す図でる。図２２Ａは傾斜面が平面の場合を示し、図２２Ｂ、図２２Ｃ及び図２２Ｄは、傾斜面が曲面の場合を示している。
【０２８２】
図２２Ａ乃至図２２Ｄに示すように、第２のリフレクタ３００に面する第１のリフレクタ２００の一側表面は、第１のリフレクタ２００の他側表面に対して一定の角度で傾斜した傾斜面になっていてもよい。
【０２８３】
ここで、傾斜面の傾斜角度θは、第１のリフレクタ２００の他側表面に対して平行な水平面に対して１〜８５°の角度で傾斜している。
【０２８４】
そのため、第１のリフレクタ２００の厚さは、光源モジュール１００から遠ざかるにつれて漸次減少することもあり、または順次増加することもある。
【０２８５】
すなわち、第１のリフレクタ２００は、光源モジュール１００に隣接した領域の厚さｔ１と光源モジュール１００から遠い領域の厚さｔ２とが互いに異なっていてもよく、図２３Ａ及び図２３Ｂに示すように、光源モジュール１００に隣接した領域の厚さｔ１が、光源モジュール１００から遠い領域の厚さｔ２よりも大きくなっていてもよい。
【０２８６】
場合によっては、図２２Ｃ及び図２２Ｄに示すように、光源モジュール１００に隣接した領域の厚さｔ１が、光源モジュール１００から遠い領域の厚さｔ２よりも小さくなっていてもよい。
【０２８７】
また、図２２Ｄに示すように、第１のリフレクタ２００は、傾斜面と平面の両方を有していてもよい。
【０２８８】
すなわち、第１のリフレクタ２００において、光源モジュール１００に隣接した領域は傾斜面を有しており、光源モジュール１００から遠い領域は平面を有していてもよい。
【０２８９】
ここで、傾斜面の長さＬ１は平面の長さＬ２と同一になっていてもよく、異なっていてもよい。
【０２９０】
そして、第１のリフレクタ２００の表面には所定の反射パターンが形成されていてもよい。
【０２９１】
図２３Ａ乃至図２３Ｄは、反射パターンを有する第１のリフレクタを示す図である。
【０２９２】
図２３Ａは、反射パターン２２０が鋸歯状になっており、且つ反射パターン２２０の表面は平面である場合を示し、図２３Ｂ及び図２３Ｃは、反射パターン２２０が鋸歯状になっており、且つ反射パターン２２０の表面は曲面である場合を示している。
【０２９３】
ここで、図２３Ｂは、反射パターン２２０の表面が凹んだ曲面になっており、図２３Ｃは、反射パターン２２０の表面が膨らんだ曲面になっている。
【０２９４】
場合によって、図２３Ｄに示すように、反射パターン２２０の大きさが、第１のリフレクタ２００の端部からオープン領域へ行くにつれて漸次大きくなっていてもよい。
【０２９５】
このように、第１のリフレクタ２００上に反射パターン２２０を形成すると、光反射の効果に加えて、光を均一に拡散する拡散効果も得ることができる。
【０２９６】
そのため、このような反射パターン２２０は、照明ユニットの全体輝度分布に応じて、該当の領域に様々な大きさで形成すればよい。
【０２９７】
図２４は、第２のリフレクタの反射面を示す断面図である。
【０２９８】
図２４に示すように、照明ユニットは、光源１１０を有する光源モジュール１００、第１及び第２のリフレクタ２００，３００、及び光学部材６００を備えることができる。
【０２９９】
ここで、第２のリフレクタ３００は、正反射領域３００ａと乱反射領域３００ｂを有しており、乱反射領域３００ｂは、第１の乱反射領域３００ｂ１及び第２の乱反射領域３００ｂ２を有している。
【０３００】
ここで、正反射領域３００ａは、入射した光を正反射する役割を果たし、乱反射領域３００ｂは、入射した光を乱反射する役割を果たすことができ、正反射領域３００ａ及び乱反射領域３００ｂの光反射率は、約５０〜９９．９９％であればよい。
【０３０１】
そして、第１、第２の乱反射領域３００ｂ１，３００ｂ２は、入射光をランベルト分布（ｌａｍｂｅｒｔｉａｎ  ｄｉｓｔｒｉｂｕｔｉｏｎ）で反射する第１の反射パターンと、ガウス分布（ｇｕａｓｓｉａｎ  ｄｉｓｔｒｉｂｕｔｉｏｎ）で反射する第２の反射パターンを有することができる。
【０３０２】
ここで、第１の乱反射領域３００ｂ１は、第１の反射パターンが第２の反射パターンよりも少なくなっており、第２の乱反射領域３００ｂ２は、第１の反射パターンが第２の反射パターンよりも多くなっていてもよい。
【０３０３】
また、第１の乱反射領域３００ｂ１と第２の乱反射領域３００ｂ２との面積比は、約１：１〜５になっている。
【０３０４】
この場合、正反射領域３００ａと第１の乱反射領域３００ｂ１との面積比は、約１：１〜４になっており、正反射領域３００ａと第２の乱反射領域３００ｂ２との面積比率は、約１：１〜２０になっている。
【０３０５】
このように第２のリフレクタ３００の正反射領域３００ａと第１、第２の乱反射領域３００ｂ１，３００ｂ２の面積比率を定めることによって、光源モジュール１００に隣接した領域と光源モジュール１００から遠く離れた領域との輝度差を減らすことができる。
【０３０６】
すなわち、第２のリフレクタ３００は、正反射領域３００ａと第１、第２の乱反射領域３００ｂ１，３００ｂ２の面積比を適宜調節することによって、全体的に均一な輝度を提供することができる。
【０３０７】
そして、第１の乱反射領域３００ｂ１は正反射領域３００ａと第２の乱反射領域３００ｂ２との間に位置している。
【０３０８】
すなわち、第２のリフレクタ３００の正反射領域３００ａは、光源モジュール１００に隣接して位置しており、第２のリフレクタ３００の第２の乱反射領域３００ｂ２は、光源モジュール１００から遠くに位置しており、第２のリフレクタ３００の第１の乱反射領域３００ｂ１は、正反射領域３００ａと第２の乱反射領域３００ｂ２との間に位置している。
【０３０９】
このように配置する理由は、第２のリフレクタ３００の正反射領域３００ａは、光源モジュール１００に隣接して位置して、光源モジュール１００から発された光を第２のリフレクタ３００の中央領域に反射させる役割を果たし、第２のリフレクタ３００の乱反射領域３００ｂは、第２のリフレクタ３００の中央領域に位置して、入射した光を拡散させる役割を果たすからである。
【０３１０】
また、光学部材６００は、第２のリフレクタ３００から一定の空間を置いて配置されており、ボトムプレートと光学部材との間の空間にはエアーガイド領域が形成されている。
【０３１１】
そして、光学部材６００の表面には凹凸パターン６２０が形成されていてもよい。
【０３１２】
図２５は、光学部材を示す斜視図である。
【０３１３】
図２５に示すように、光学部材６００は複数の層で形成されてもよく、最上層またはいずれか一層の表面に凹凸パターン６２０を有することができる。
【０３１４】
場合によって、光学部材６００は、少なくとも一つのシートからなり、拡散シート、プリズムシート、輝度強化シートなどを選択的に含むことができる。
【０３１５】
ここで、拡散シートは、光源から発された光を拡散させ、プリズムシートは、拡散された光を発光領域にガイドし、輝度強化シートは輝度を強化させる。
【０３１６】
このように、光学部材６００は光源モジュール１００から発された光を拡散させるためのもので、拡散効果を増大させるために、光学部材６００の上部表面に凹凸パターン６２０を形成することができる。
【０３１７】
凹凸パターン６２０は、光源モジュール１００に並んで配置されるストライプ形状を有することができる。
【０３１８】
この場合、凹凸パターン６２０は、光学部材６００表面に形成された突出部を有し、突出部は、相対する第１の面と第２の面とで構成され、第１の面と第２の面間の角は、鈍角または鋭角であればよい。
【０３１９】
このように、実施形態は、リフレクタを支持する金属性支持部材を用いることによって、静電気またはＥＭＩによる外部回路の損傷を防止することができる。
【０３２０】
また、実施形態は、金属性支持部材に複数の締結用突起を配置して、外部回路を簡易に連結することができる。
【０３２１】
そして、実施形態は、傾斜面を有する金属性支持部材を用いて、導光板無しで、エアーガイド（ａｉｒ  ｇｕｉｄｅ）領域を有する構造にすることによって、軽量、低作製コスト、及び均一な輝度といった効果を提供することができる。
【０３２２】
その結果、照明ユニットの経済性及び信頼性を向上させることができる。
【０３２３】
また、以上の実施形態に記載された支持部材、第１及び第２のリフレクタ及び光源モジュールを備える表示装置、指示装置、照明システムを具現することができ、例えば、照明システムとしては、ランプ、街灯を含むことができる。
【０３２４】
このような照明システムは、複数のＬＥＤを集束して光を得る照明灯に用いることができ、特に、建物の天井や壁体内に埋め込まれてシェードの開口部が露出されるように装着される埋め込み灯（ダウンライト）に用いることができる。
【０３２５】
図２６は、実施形態に係る照明ユニットを有するディスプレイモジュールを示す図である。
【０３２６】
図２６に示すように、ディスプレイモジュール２０は、ディスプレイパネル８００及び照明ユニット７００を備えている。
【０３２７】
ディスプレイパネル８００は、均一なセルギャップが維持されるように相対して貼り合わせられたカラーフィルタ基板８１０とＴＦＴ（Ｔｈｉｎ  Ｆｉｌｍ  Ｔｒａｎｓｉｓｔｏｒ）基板８２０とを有し、両基板８１０，８２０の間に液晶層（図示せず）が挟持されている。
【０３２８】
なお、ディスプレイパネル８００の上側及び下側にはそれぞれ、上部偏光板８３０及び下部偏光板８４０が配置されており、具体的には、カラーフィルタ基板８１０の上面に上部偏光板８３０が配置され、ＴＦＴ基板８２０の下面に下部偏光板８４０が配置されている。
【０３２９】
図示してはいないが、ディスプレイパネル８００の側面には、パネル８００を駆動させるための駆動信号を生成するゲート及びデータ駆動部が備えられている。
【０３３０】
図２７及び図２８は、実施形態に係るディスプレイ装置を示す図である。
【０３３１】
図２７を参照すると、ディスプレイ装置１は、ディスプレイモジュール２０と、ディスプレイモジュール２０を取り囲むフロントカバー３０及びバックカバー３５と、バックカバー３５に設けられた駆動部５５と、駆動部５５を覆う駆動部カバー４０とで構成されている。
【０３３２】
フロントカバー３０は、光を透過させる透明な材質の前面パネル（図示せず）を有することができ、前面パネルは、一定の間隔を置いてディスプレイモジュール２０を保護し、ディスプレイモジュール２０から放出する光を透過させて、ディスプレイモジュール２０で表示される映像が外部から見られるようにする。
【０３３３】
バックカバー３５は、フロントカバー３０と結合してディスプレイモジュール２０を保護することができる。
【０３３４】
バックカバー３５の一面には駆動部５５が配置されている。
【０３３５】
駆動部５５は、駆動制御部５５ａ、メインボード５５ｂ、及び電源ボード５５ｃを有している。
【０３３６】
駆動制御部５５ａは、タイミングコントローラでよく、ディスプレイモジュール２０の各ドライバーＩＣの動作タイミングを調節する駆動部であり、メインボード５５ｂは、タイミングコントローラにＶシンク、Ｈシンク及びＲ，Ｇ，Ｂ解像度信号を伝達する駆動部であり、電源ボード５５ｃは、ディスプレイモジュール２０に電源を印加する駆動部である。
【０３３７】
駆動部５５は、バックカバー３５に配設されて、駆動部カバー４０に覆われている。
【０３３８】
バックカバー３５には複数の孔が設けられて、ディスプレイモジュール２０と駆動部５５とが接続するようにし、ディスプレイ装置１を支持するスタンド６０が備えられている。
【０３３９】
一方、図２８に示すように、駆動部５５の駆動制御部５５ａはバックカバー３５に設けられており、メインボード５５ｂと電源ボード５５ｃはスタンド６０に設けられていてもよい。
【０３４０】
この場合、駆動部カバー４０は、バックカバー３５に設けられた駆動部５５のみを覆っている。
【０３４１】
本実施形態では、メインボード５５ｂと電源ボード５５ｃを別体として構成したが、一体の統合ボードにしてもよく、それに限定されない。
【０３４２】
他の実施形態は、以上の実施形態に記載された支持部材、第１及び第２のリフレクタ及び光源モジュールを備える表示装置、指示装置、照明システムにしてもよく、例えば、照明システムとしてはランプ、街灯を含むことができる。
【０３４３】
このような照明システムは、複数のＬＥＤを集束して光を得る照明灯に用いることができ、特に、建物の天井や壁体内に埋め込まれてシェードの開口部側が露出されるように装着できる埋め込み灯（ダウンライト）に用いることができる。
【０３４４】
以上では種々の実施形態を挙げて本発明を説明してきたが、本発明の精神及び範囲を逸脱しない限度内で、種々の他の変形及び態様が可能であるということは、当該技術の分野における通常の知識を有する当業者にとっては明らかである。特に、本発明の詳細な説明、図面及び添付の請求項の範囲内で構成要素及び／またはその組み合わせの様々な変形及び修正が可能である。これら構成要素及び／またはその組み合わせの様々な変形及び修正に加えて、その他の利用が当業者には明らかである。
【図１】
2013175460.tif 000003
【図２】
2013175460.tif 000004
【図３Ａ】
2013175460.tif 000005
【図３Ｂ】
2013175460.tif 000006
【図３Ｃ】
2013175460.tif 000007
【図４Ａ】
2013175460.tif 000008
【図４Ｂ】
2013175460.tif 000009
【図４Ｃ】
2013175460.tif 000010
【図５Ａ】
2013175460.tif 000011
【図５Ｂ】
2013175460.tif 000012
【図５Ｃ】
2013175460.tif 000013
【図６】
2013175460.tif 000014
【図７】
2013175460.tif 000015
【図８Ａ】
2013175460.tif 000016
【図８Ｂ】
2013175460.tif 000017
【図９Ａ】
2013175460.tif 000018
【図９Ｂ】
2013175460.tif 000019
【図９Ｃ】
2013175460.tif 000020
【図１０】
2013175460.tif 000021
【図１１】
2013175460.tif 000022
【図１２】
2013175460.tif 000023
【図１３】
2013175460.tif 000024
【図１４Ａ】
2013175460.tif 000025
【図１４Ｂ】
2013175460.tif 000026
【図１５Ａ】
2013175460.tif 000027
【図１５Ｂ】
2013175460.tif 000028
【図１５Ｃ】
2013175460.tif 000029
【図１６】
2013175460.tif 000030
【図１７】
2013175460.tif 000031
【図１８Ａ】
2013175460.tif 000032
【図１８Ｂ】
2013175460.tif 000033
【図１９】
2013175460.tif 000034
【図２０Ａ】
2013175460.tif 000035
【図２０Ｂ】
2013175460.tif 000036
【図２０Ｃ】
2013175460.tif 000037
【図２０Ｄ】
2013175460.tif 000038
【図２０Ｅ】
2013175460.tif 000039
【図２１Ａ】
2013175460.tif 000040
【図２１Ｂ】
2013175460.tif 000041
【図２１Ｃ】
2013175460.tif 000042
【図２１Ｄ】
2013175460.tif 000043
【図２２Ａ】
2013175460.tif 000044
【図２２Ｂ】
2013175460.tif 000045
【図２２Ｃ】
2013175460.tif 000046
【図２２Ｄ】
2013175460.tif 000047
【図２３Ａ】
2013175460.tif 000048
【図２３Ｂ】
2013175460.tif 000049
【図２３Ｃ】
2013175460.tif 000050
【図２３Ｄ】
2013175460.tif 000051
【図２４】
2013175460.tif 000052
【図２５】
2013175460.tif 000053
【図２６】
2013175460.tif 000054
【図２７】
2013175460.tif 000055
【図２８】
2013175460.tif 000056